(57)【要約】 【課題】  小型化に好適なコネクタを提供する。【解決手段】  合成樹脂製の雌ハウジング２０には、雌端子金具２１を収容可能なキャビティ２２が設けられるとともに、キャビティ２２内には雌端子金具２１に対して係止することでその抜け止めが可能なランス２４が設けられている。ランス２４は、弾性変形時には、雌ハウジング２０の上面２０ａや下面２０ｂから外方へ突出可能とされる。雌ハウジング２０には、相手の雄コネクタＭを嵌合状態に保持するためのロックアーム４０が装着されている。ロックアーム４０は、金属片からなり、雌ハウジング２０の圧入溝３０に対して圧入可能な圧入部４２を有している。ロックアーム４０は、ランス２４Ｏと対向して配されるとともに、弾性変形時にはランス２４Ｏの撓み空間３３Ｏ内に退避可能となっている。【選択図】  図８
2005197035.tif 000002
【特許請求の範囲】
【請求項１】
合成樹脂製のハウジングには、相手コネクタを嵌合状態に保持するためのロックアームが備えられているものにおいて、
前記ロックアームは、金属片からなるとともに前記ハウジングに対して圧入保持されるようになっていることを特徴とするコネクタ。
【請求項２】
前記ハウジングには、端子金具を収容可能なキャビティが設けられるとともに、キャビティ内には、前記端子金具に対して係止することでその抜け止めが可能なランスが設けられ、且つランスは、弾性変形時には前記ハウジングの外面から外方へ突出可能とされており、
前記ロックアームは、前記ハウジングのうち前記ランスが突出可能とされる外面に装着可能とされていることを特徴とする請求項１記載のコネクタ。
【請求項３】
前記ロックアームは、前記ランスと対向して配されるとともに、弾性変形時には前記ランスの撓み空間内に退避可能とされていることを特徴とする請求項２記載のコネクタ。
【請求項４】
前記ロックアームには、下方へ突出する圧入部が設けられるのに対し、前記ハウジングには、前記圧入部が圧入可能とされる圧入溝が上方へ開口して設けられていることを特徴とする請求項１ないし請求項３のいずれかに記載のコネクタ。
【発明の詳細な説明】
【技術分野】
【０００１】
本発明は、ロックアームを備えたコネクタに関する。
【背景技術】
【０００２】
従来、相手コネクタを嵌合状態に保持するためのロックアームを備えたコネクタの一例として下記特許文献１に記載されたものが知られている。このものは、ハウジングの上面前端部から片持ち状のロックアームが突設され、このロックアームがハウジングに対して嵌合される相手コネクタの被ロック部に係止することで、相手コネクタを嵌合状態に保持できるようになっている。
【特許文献１】特開平７−２８２８８４号公報
【発明の開示】
【発明が解決しようとする課題】
【０００３】
ところが、上記したコネクタでは、合成樹脂製のハウジングにロックアームを一体成形するようにしているため、ハウジングからのロックアームの立ち上がり部分が高くなり勝ちであり、コネクタが高さ方向に大型化するという問題があった。
本発明は上記のような事情に基づいて完成されたものであって、小型化に好適なコネクタを提供することを目的とする。
【課題を解決するための手段】
【０００４】
上記の目的を達成するための手段として、請求項１の発明は、合成樹脂製のハウジングには、相手コネクタを嵌合状態に保持するためのロックアームが備えられているものにおいて、前記ロックアームは、金属片からなるとともに前記ハウジングに対して圧入保持されるようになっている構成としたところに特徴を有する。
【０００５】
請求項２の発明は、請求項１に記載のものにおいて、前記ハウジングには、端子金具を収容可能なキャビティが設けられるとともに、キャビティ内には、前記端子金具に対して係止することでその抜け止めが可能なランスが設けられ、且つランスは、弾性変形時には前記ハウジングの外面から外方へ突出可能とされており、前記ロックアームは、前記ハウジングのうち前記ランスが突出可能とされる外面に装着可能とされているところに特徴を有する。
請求項３の発明は、請求項２に記載のものにおいて、前記ロックアームは、前記ランスと対向して配されるとともに、弾性変形時には前記ランスの撓み空間内に退避可能とされているところに特徴を有する。
【０００６】
請求項４の発明は、請求項１ないし請求項３のいずれかに記載のものにおいて、前記ロックアームには、下方へ突出する圧入部が設けられるのに対し、前記ハウジングには、前記圧入部が圧入可能とされる圧入溝が上方へ開口して設けられているところに特徴を有する。
【発明の効果】
【０００７】
＜請求項１の発明＞
金属片からなるロックアームをハウジングに対して圧入保持するようにしたから、従来のようにハウジングにロックアームを一体成形したものと比較すると、ハウジングからのロックアームの突出高さを低くすることができ、もってコネクタの小型化を図ることができる。
【０００８】
＜請求項２の発明＞
端子金具をキャビティ内に挿入する際に、端子金具が挿入途中だった場合には、ハウジングの外面からランスが突出しているので、そのランスを外部から目視することで、端子金具の半挿入を検知することができる。ハウジングに対して端子金具を挿入した後にロックアームをハウジングに装着するようにすれば、ランスを目視する上でロックアームがその妨げとなるのを防ぐことが可能となる。
＜請求項３の発明＞
ロックアームの撓み空間をランスの撓み空間と共用しているので、仮に両者の撓み空間を別々に確保したものと比較すると、一層コネクタの小型化を図ることができる。
【０００９】
＜請求項４の発明＞
圧入部を圧入溝に対して上方から圧入することでロックアームをハウジングに対して保持させることができるので、ロックアームの装着作業がし易くなる。
【発明を実施するための最良の形態】
【００１０】
＜実施形態１＞
本発明の実施形態１を図１ないし図１１によって説明する。この実施形態１では、相手の雄コネクタＭと嵌合可能な雌コネクタＦにロックアーム４０を設けたものを例示する。なお以下では、両コネクタＦ，Ｍにおける嵌合面側を前方とし、上下方向については図４を除く各図を基準として説明する。
【００１１】
先に相手の雄コネクタＭについて説明する。雄コネクタＭは、図１及び図８に示すように、基板Ｋに取り付けられる基板用コネクタであって、合成樹脂製の雄ハウジング１０を備えるとともにこの雄ハウジング１０に、複数本（４０本）の雄端子金具１１を装着した構成とされる。詳しくは、雄ハウジング１０は、全体として幅方向に沿って細長い形状に形成されており、雄端子金具１１を後方から挿入可能な端子挿入孔１２ａを有する端子保持部１２と、端子保持部１２の周縁から前方へ突出する略角筒状のフード部１３とから構成される。端子挿入孔１２ａは、幅方向に沿って並列した状態で上下２段に２０本ずつほぼ等間隔に配されており、上段側の各端子挿入孔１２ａと下段側の各端子挿入孔１２ａは、互いに幅方向にずれた位置（互い違いの位置）に配されている。雄端子金具１１は、端子保持部１２から後方へ突出した部分が一旦下方へほぼ直角に屈曲された後、その後端部が再び後方へ向けてほぼ直角に屈曲された形状とされている。この雄端子金具１１のうち、フード部１３内に突き出す前端部が雌コネクタＦの雌端子金具２１と導通接触可能なコネクタ側接続部１１ａとされるのに対し、後端部が基板Ｋ上にプリントされた導電路（図示せず）に対して半田付けにより導通接続される基板側接続部１１ｂとなっている。
【００１２】
フード部１３内には、雌コネクタＦの雌ハウジング２０が前方から嵌合可能とされている。フード部１３のうち幅方向に沿って延出する上壁における幅方向略中央部分は、その両側部分よりも薄肉状に形成されており、ロックアーム４０などを逃がすための逃がし溝１４が前方へ開口して設けられている。そして、フード部１３の上壁のうち逃がし溝１４に臨む部分には、ロックアーム４０のロック部４３が進入可能なロック部進入用凹部１５が形成されるとともに、その前側にはロック部４３が係止可能な被ロック部１６が形成されている。ロック部進入用凹部１５は、上壁の途中位置に配されるとともに上下方向に沿って外部へ開口する孔状に形成されている。被ロック部１６は、上壁における前端部に設けられており、その内面が前方へ向かって上り勾配をなすテーパ面とされるのに対し、ロック部４３との係止面である後面が幅方向に沿って真っ直ぐな面とされている。またフード部１３の内周面における上面及び下面には、雌コネクタＦの各突条２６を受け入れ可能な突条受け入れ凹部１７が４つずつ形成されている。なお雄ハウジング１０は、図示しない取付部材を用いて基板Ｋに対して固定可能とされている。
【００１３】
続いて雌コネクタＦについて説明する。雌コネクタＦは、図２及び図８に示すように、合成樹脂製の雌ハウジング２０を備えるとともに、雌ハウジング２０内に複数本（４０本）の雌端子金具２１が収容された構成となっている。雌ハウジング２０は、全体として幅方向に沿って細長い、横長なブロック状に形成されている。雌ハウジング２０には、後方から雌端子金具２１を挿入可能なキャビティ２２が雄コネクタＭの各端子挿入孔１２ａに対応した位置に配置されている。すなわち、各キャビティ２２は、雌ハウジング２０において上下２段に２０室ずつ幅方向に沿ってほぼ等間隔に（途中でピッチを変更することなく）並列して配されており、上段側の各キャビティ２２と下段側の各キャビティ２２は、互いに幅方向にずれた位置に配されている。雌端子金具２１は、前後に開口する略箱形をなす本体部２１ａと、電線Ｗの端末に圧着接続されるバレル部２１ｂとを前後に繋げた構成とされている。本体部２１ａ内には、雄端子金具１１のコネクタ側接続部１１ａと弾性接触可能な弾性接触片２１ｃが設けられている。
【００１４】
各キャビティ２２の周壁のうち上下のキャビティ２２を仕切る壁とは反対側の壁、詳細には上段側のキャビティ２２の上壁と下段側のキャビティ２２の下壁とには、図４及び図８に示すように、平面視略コ字型のスリット２３を入れることで片持ち状のランス２４が形成されている。各スリット２３は、雌ハウジング２０の上面２０ａと下面２０ｂにおいて外部に開口して形成されているので、外部からスリット２３を通してキャビティ２２内を目視することが可能とされるとともに、各ランス２４は上下外部に露出して配されている。ランス２４は、上下方向に沿って弾性変形可能とされるとともに雌端子金具２１の本体部２１ａのあご部２１ｄに対して係止することでその抜け止めを図ることができるようになっている。ランス２４は、基端である後端部側から自由端である前端部側へ向けてキャビティ２２内へ張り出すよう傾斜状に形成され、その外面が雌ハウジング２０の上面２０ａや下面２０ｂ（キャビティ２２の並列方向に沿った外面）に連続するよう形成されている。
【００１５】
ランス２４の前端部外面からは、検知部２５が外方へ突出して設けられている。この検知部２５は、ランス２４が自然状態のときは外面が雌ハウジング２０の上面２０ａや下面２０ｂと略面一状をなすものの、ランス２４が弾性変形したときには、雌ハウジング２０の上面２０ａや下面２０ｂよりも外方へ突出して配されるようになっている（図６参照）。従って、ランス２４が弾性変形した状態で両ハウジング１０，２０を嵌合しようとすると、フード部１３の前端面に対して検知部２５の前端面が突き当たることで、嵌合動作を規制できるようになっている。言い換えると、各ランス２４の撓み空間３３は、雌ハウジング２０の上下面２０ａ，２０ｂの外側に確保されるとともに、相手の雄コネクタＭの嵌合空間と共用されている。
【００１６】
雌ハウジング２０の上面２０ａ及び下面２０ｂには、図２、図４及び図８に示すように、両ハウジング１０，２０の嵌合動作を案内するなどに機能する突条２６が設けられている。詳しくは、各突条２６は、雌ハウジング２０の上下面２０ａ，２０ｂにおける幅方向両端位置に２本ずつ、それよりも中央寄りの位置に２本ずつ、計８本配設されており、各突条２６は、雌ハウジング２０の後端位置から前方へ延出する形態とされるものの、中央寄りに配された突条２４については、雌ハウジング２０の上下面２０ａ，２０ｂにランス２４が露出して配される都合上、中間部分が取り除かれて前後に分けられている（図４）。また中央寄りに配された突条２６は、上側と下側のもので幅方向にずれた位置に配されている。下側の突条２６は、前端位置が雌ハウジング２０とほぼ揃っているのに対し、上側の突条２６は、前端位置が雌ハウジング２０よりも引っ込んだ位置に設定されるとともにその前端面が前方へ向かって上り勾配をなすオーバーハング状に形成されている。
【００１７】
雌ハウジング２０の上面２０ａ及び下面２０ｂにおける後端部には、図２ないし図４に示すように、幅方向（キャビティ２２の並列方向）に沿って延出するリブ２７が一対設けられている。リブ２７は、雌ハウジング２０のほぼ全幅領域にわたって形成されるとともに両端の突条２６同士を連結しているので、雌ハウジング２０の強度向上に寄与している。なお上側のリブ２７については、その幅方向中央部分がロックアーム４０を逃がすために所定範囲にわたって切除され、図２に示す左右に分断されている。リブ２７は、突条２６と同じ高さを有するとともに雌ハウジング２０を嵌合・離脱させる際などに作業者が指を掛けることができるようになっている（図１３参照）。また各突条２６及びリブ２７の後端面には、各キャビティ２２の位置を作業者に視認させるための目印２８が凹み形成されている（図３）。なお目印２８の配置間隔や形態などについては図示するもの以外にも任意に変更可能である。
【００１８】
さて、ロックアーム４０は、図４及び図７に示すように、雌ハウジング２０とは別体の金属板（例えばステンレス製）をプレス成形して得られる金属片により構成されており、雌ハウジング２０の上面２０ａ（ランス２４が突出可能とされる外面）に圧入保持されるようになっている。詳しくは、ロックアーム４０は、前後方向に沿って延出するアーム部４１を備えるとともにその前端部から雌ハウジング２０に圧入可能な圧入部４２が下方へ向けて突出して形成されている。アーム部４１は、前端部がほぼ水平に形成されるとともに、その後側部分が後方へ向かって上り勾配をなすよう傾斜状に形成されている。アーム部４１のうち傾斜部分の長さ方向略中央には、ロック部４３が上方へ突出するよう叩き出して形成されている。ロック部４３は、その前面が後方へ向かって上り勾配（アーム部４１の傾斜部分よりもやや急な勾配）をなすテーパ状に形成されるのに対し、被ロック部１６との係止面である後面が前方へ向かって下り勾配をなす逆テーパ状に形成されている。また圧入部４２は、アーム部４１よりも幅広に形成されている。
【００１９】
これに対し、雌ハウジング２０の上面２０ａのうち幅方向中央の前端部には、ロックアーム４０を保持可能なロックアーム保持部２９が一対設けられている。ロックアーム保持部２９は、アーム部４１の幅寸法分程度の間隔を空けて図４に示す左右に分かれて配置されるとともに雌ハウジング２０の上面２０ａから上方へ突出する形態とされ、その突出高さが突条２６やリブ２７とほぼ同じとされる。両ロックアーム保持部２９には、圧入部４１を圧入可能な圧入溝３０が上方へ開口して形成されており、この圧入溝３０は、雌ハウジング２０の上面２０ａを所定深さ凹ませる深さに形成されている。両ロックアーム保持部２９の直ぐ後側には、アーム部４１の上面に係止することでロックアーム４０を抜け止め可能な抜け止め部３１が一対設けられている。これらロックアーム保持部２９及び抜け止め部３１は、雌ハウジング２０を雄ハウジング１０と嵌合する際には、ロックアーム４０のアーム部４１と共にフード部１３の逃がし溝１４内に進入して逃がされるようになっている。
【００２０】
ロックアーム４０は、圧入部４２が圧入溝３０内に圧入された状態では、図８に示すように、アーム部４１のうち抜け止め部３１との係止部分の後端位置（アーム部４１における傾斜部分の前端位置）を支点として上下方向に沿って弾性変形可能とされており、弾性変形時にはアーム部４１と雌ハウジング２０の上面２０ａとの間に確保された撓み空間４５内にアーム部４１が退避されるようになっている（図９参照）。この装着状態では、ロックアーム４０のアーム部４１は、図４に示すように、上段側の各キャビティ２２のうち幅方向中央位置に配された３つのキャビティ２２と上下に重なる位置とされ、これらのキャビティ２２に設けられた各ランス２４Ｏと対向して配されることになる（以下、ロックアーム４０と対向するランス、検知部及び撓み空間については符号に添え字Ｏを付するものとする）。そして、ロックアーム４０は、弾性変形時にはこれら３本のランス２４Ｏの撓み空間３３Ｏ内に退避可能となっており、つまりロックアーム４０の撓み空間４５がランス２４Ｏの撓み空間３３Ｏと共用される構成となっている。一方、ロックアーム４０と対向するランス２４Ｏについては、弾性変形時には検知部２５Ｏがロックアーム４０の撓み空間４５を越えてアーム部４１の配置スペースにまで進入するようになっており（図６参照）、つまりランス２４Ｏの撓み空間３３Ｏは、ロックアーム４０の配置スペースの一部と、ロックアーム４０の撓み空間４５とを足し合わせた大きさとなっている。
【００２１】
また装着状態では、ロックアーム４０は、前端の圧入部４２が雌ハウジング２０に固定された片持ち状をなしており、その自由端である後端部が操作部４４となっている。この操作部４４を押圧操作することで、アーム部４１を下方、すなわちロック解除方向へ向けて強制的に弾性変形させることが可能とされる。また雌ハウジング２０における上側のリブ２７の内端位置には、図３及び図４に示すように、操作部４４の上端位置とほぼ同じ高さ位置まで突出する保護部３２が一対設けられている。両保護部３２が操作部４４の両側方位置に配されることにより、操作部４４の下側に後方から図示しない外部の電線などが進入するのを規制することができ、もってロックアーム４０が反転変形させられる事態を防ぐことができるようになっている。なお保護部３２を操作部４４よりも高く形成しても構わない。
【００２２】
本実施形態は以上のような構造であり、続いてその作用を説明する。雄コネクタＭを組み付けるとともに雄コネクタＭを基板Ｋに対して取り付けておく一方で、雌コネクタＦの組み付けを行う。図５に示すように、電線Ｗの端末に圧着接続した雌端子金具２１を各キャビティ２２内に挿入する作業を行う。雌端子金具２１を挿入すると、図６に示すように、本体部２１ａによって押圧されることでランス２４が一旦弾性変形してその検知部２５が雌ハウジング２０の上面２０ａや下面２０ｂから外方へ突出する。そして、雌端子金具２１が正規深さに達すると、図７に示すように、ランス２４が復元するとともに本体部２１ａのあご部２１ｄに対して係止することで、雌端子金具２１の抜け止めが図られる。なお仮に雌端子金具２１が挿入途中の状態に留められていた場合には、突出した検知部２５（２５Ｏ）や、スリット２３を通してキャビティ２２内の雌端子金具２１を目視することで、雌端子金具２１の半挿入を検知することができる。
【００２３】
その後、雌ハウジング２０にロックアーム４０を装着する作業を行う。図７に示す状態からロックアーム４０の前端部を上方から押し込んで、圧入部４２を圧入溝３０内に圧入する。そして、アーム部４１が抜け止め部３１を越えてその下側に進入すると、図８に示すように、圧入部４２が圧入溝３０内に正規深さまで押し込まれ、抜け止め部３１がアーム部４１の上面に係止することで、ロックアーム４０が圧入状態に抜け止め保持される。ところで、仮に雌端子金具２１が半挿入状態のままロックアーム４０を装着しようとした場合には、ロックアーム４０と対向するランス２４Ｏがロックアーム４０の配置スペースにまで突出しているため、ロックアーム４０がランス２４Ｏの検知部２５Ｏに干渉してその装着が規制される（図６参照）。これをもって雌端子金具２１の半挿入を検知することが可能とされる。なお、上記とは逆にロックアーム４０の装着作業を行った後に雌端子金具２１の挿入作業を行うようにしても構わない。その場合は、ロックアーム４０を装着したら、そのアーム部４１を前方へ向けて一旦反転変形させておき、その後雌端子金具２１の挿入作業を行うようにすれば、ロックアーム４０と重なる中央の３つのキャビティ２２についてもランス２４Ｏなどを外部から目視し易くなる。なお雌端子金具２１の挿入作業を行った後は、ロックアーム４０を元の姿勢に戻すようにすればよい。
【００２４】
続いて雄コネクタＭに対して雌コネクタＦを嵌合する作業を行う。このとき、仮に雄ハウジング１０に対して雌ハウジング２０を正規の姿勢から上下に反転した姿勢のまま嵌合しようとした場合には、各突条２６の前端面がフード部１３の前端面に突き当たることで、その嵌合動作が規制され、もって誤嵌合が防止されるようになっている。また目視による雌端子金具２１の半挿入検知が看過されたまま嵌合作業を行おうとした場合には、雌ハウジング２０の上面２０ａや下面２０ｂから突出したランス２４の検知部２５の前端面がフード部１３の前端面に突き当たることで嵌合動作が規制され、もって雌端子金具２１の半挿入を確実に検知することができる（図６参照）。
【００２５】
図８に示すように、正規の姿勢とした雌ハウジング２０を雄ハウジング１０のフード部１３内に嵌合すると、各突条２６が対応する突条受け入れ凹部１７内に進入することで嵌合動作が円滑に案内される。またロックアーム４０のアーム部４１、ロックアーム保持部２９及び抜け止め部３１は、フード部１３の逃がし溝１４内に逃がされる。所定深さまで雌ハウジング２０が嵌合されると、互いにテーパ状をなすロック部４３の前面と被ロック部１６の内面とが摺接されることで、図９に示すように、ロックアーム４０が弾性変形させられる。このとき、ロックアーム４０は、アーム部４１における抜け止め部３１との係止部分の後端位置を支点として弾性変形し、下方の撓み空間４５（撓み空間３３Ｏ）内に退避する。最も大きく弾性変形すると、アーム部４１が全長にわたってほぼ水平をなすとともにその下面が雌ハウジング２０の上面２０ａとほぼ同じ位置に達する。そして、雌ハウジング２０が正規深さまで嵌合されると、ロック部４３がロック部進入用凹部１５に達し、図１０に示すように、ロックアーム４０が復元するとともにロック部４３の後面が被ロック部１６の後面に対して係止される。これにより、両コネクタＦ，Ｍが嵌合状態から離脱不能に保持される。このとき、雄端子金具１１のコネクタ側接続部１１ａに対して雌端子金具２１の弾性接触片２１ｃが正規に弾性接触する。
【００２６】
一方、メンテナンスなどの事情により雄コネクタＭから雌コネクタＦを離脱させる場合がある。その場合には、操作部４４を上方から指で押圧操作することで、ロックアーム４０を強制的に弾性変形させる。すると、図１１に示すように、ロックアーム４０が弾性変形し、アーム部４１及びロック部４３が被ロック部１６及びロック部進入用凹部１５から離間するよう変位するので、被ロック部１６との係止代が減少していく。そして、ロック部４３が被ロック部１６から完全に外れる位置まで操作部４４を押圧した状態に保ちつつ雌ハウジング２０を後方へ引っ張ることで、雄コネクタＭから雌コネクタＦを離脱させることができる。この離脱時には、雌ハウジング２０の上下両面２０ａ，２０ｂに設けられた両リブ２７に指を掛けて把持することで、雌コネクタＦの引き抜き作業がし易くなっている。
【００２７】
以上説明したように本実施形態によれば、金属片からなるロックアーム４０を雌ハウジング２０に対して圧入保持するようにしたから、従来のようにハウジングにロックアームを一体成形したものと比較すると、雌ハウジング２０からのロックアーム４０の突出高さを低くすることができ、もって高さ方向について雌コネクタＦの小型化を図ることができる。またロックアーム４０が雌ハウジング２０とは別体であるから、万が一にロックアーム４０が破損などした場合には、交換することが可能となっている。
【００２８】
しかも、雌ハウジング２０に対して雌端子金具２１を挿入した後にロックアーム４０を雌ハウジング２０に装着するようにしたから、ロックアーム４０と対向することになるランス２４Ｏ（検知部２５Ｏ）を目視する上でロックアーム４０がその妨げとなるのを防ぐことが可能となる。
さらには、ロックアーム４０がランス２４Ｏと対向して配されるとともに、弾性変形時にはランス２４Ｏの撓み空間３３Ｏ内に退避可能とされ、つまりロックアーム４０の撓み空間４５をランス２４Ｏの撓み空間３３Ｏと共用しているので、仮にランスの撓み空間とロックアームの撓み空間とを別々に確保したものと比較すると、一層雌コネクタＦの小型化を図ることができる。
【００２９】
その上、ロックアーム４０に下方へ突出する圧入部４２を設け、雌ハウジング２０に上方へ開口する圧入溝３０を設けるようにし、上方から押し込むことで圧入部４２を圧入溝３０内に圧入させることができるから、ロックアーム４０の装着作業がし易くなっている。
【００３０】
＜実施形態２＞
本発明の実施形態２を図１２ないし図１５によって説明する。この実施形態２は、主にロックアーム４０の装着構造を変更したものを示す。なおこの実施形態２では、上記した実施形態１と同様の構成については、同一符号を付し、重複する説明は省略する。
【００３１】
図１２ないし図１４に示すように、雌ハウジング２０の上面２０ａには、ロックアーム保持部２９Ａが所定の間隔（アーム部４１Ａよりも狭い間隔）を空けて一対突設されており、両ロックアーム保持部２９Ａの後面には、後方へ開口する圧入溝３０Ａが形成されている。一方、ロックアーム４０は、アーム部４１Ａにおける前端部である水平部分が圧入溝３０Ａに対して圧入可能な圧入部４２Ａとなっている。ロックアーム４０を装着するには、図１４に示す状態からロックアーム４０を前方へ押し込み、圧入部４２Ａを雌ハウジング２０の上面２０ａに摺接させつつ圧入溝３０Ａ内に後方から圧入する。このとき、仮に雌端子金具２１が半挿入だった場合には、ランス２４Ｏの検知部２５Ｏがロックアーム４０の装着経路上に突出して配されることになるため、圧入部４２Ａが検知部２５Ｏに干渉することでその装着動作が規制され、もって雌端子金具２１の半挿入を検知できる。そして、図１５に示すように、圧入部４２Ａが圧入溝３０Ａ内の正規深さまで圧入されると、ロックアーム４０が雌ハウジング２０に対して圧入保持される。この状態では、ロックアーム４０は、アーム部４１Ａのうちロックアーム保持部２９Ａの後端部に支持される位置を支点として上下に弾性変形可能とされる。なお実施形態２では、実施形態１に示したような抜け止め部３１については設けられていないが、追加して設けることも可能である。
【００３２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）ロックアームの装着面は、雌ハウジングの上面に限らず、雌ハウジングの下面でもよく、また側面や前面などのランスが突出しない外面でもよい。
【００３３】
（２）上記した実施形態では、ランスが弾性変形時にロックアームの配置スペースにまで進入するものを示したが、ランスがロックアームの配置スペースに進入しないもの、つまりランスの撓み空間がロックアームの撓み空間のみと共用可能とされるものも本発明に含まれる。
（３）上記した実施形態では、ランスが弾性変形時に外部に突出するものを示したが、ランスが弾性変形時に外部に突出しないタイプのコネクタにも本発明は適用可能である。
【００３４】
（４）ロックアームの形態については任意に変更可能である。例えばアーム部の途中部分に圧入部を設けてシーソー状のロックアームとしたり、またアーム部の前後両端に圧入部を設けて両持ち状のロックアームとしたものも本発明に含まれる。またロックアームの素材については、金属であればステンレス以外でも構わない。
（５）上記した実施形態では、雄コネクタが基板に固定されるものを示したが、雄コネクタが電線の端末に設けられるものであってもよい。
（６）上記した実施形態では、雌コネクタにロックアームが装着したものを示したが、逆に雄コネクタ側にロックアームを装着するようにしたものにも本発明は適用可能である。また各端子金具の本数・配置は任意に変更可能である。
【図面の簡単な説明】
【００３５】
【図１】本発明の実施形態１に係る雄コネクタの正面図
【図２】雌コネクタの正面図
【図３】雌コネクタの背面図
【図４】雌コネクタの平面図
【図５】雌ハウジングに雌端子金具を挿入する前の状態を示す側断面図
【図６】雌ハウジングに雌端子金具を挿入する途中の状態を示す側断面図
【図７】雌端子金具が正規深さに達した状態で、ロックアームを装着する前の状態を示す側断面図
【図８】ロックアームを装着し、両コネクタを嵌合する前の状態を示す側断面図
【図９】両コネクタを嵌合する途中の状態を示す側断面図
【図１０】両コネクタが正規嵌合した状態を示す側断面図
【図１１】離脱時に操作部を押圧した状態を示す一部切欠平断面図
【図１２】本発明の実施形態２に係る雌コネクタの正面図
【図１３】雌コネクタの平面図
【図１４】ロックアームを装着する前の状態を示す側断面図
【図１５】ロックアームを装着した状態を示す側断面図
【符号の説明】
【００３６】
２０…雌ハウジング（ハウジング）
２０ａ…上面（外面）
２０ｂ…下面（外面）
２１…雌端子金具（端子金具）
２２…キャビティ
２４，２４Ｏ…ランス
３０，３０Ａ…圧入溝
３３，３３Ｏ…撓み空間
４０…ロックアーム
４２…圧入部
Ｆ…雌コネクタ（コネクタ）
Ｍ…雄コネクタ（相手コネクタ）
【図１】
2005197035.tif 000003
【図２】
2005197035.tif 000004
【図３】
2005197035.tif 000005
【図４】
2005197035.tif 000006
【図５】
2005197035.tif 000007
【図６】
2005197035.tif 000008
【図７】
2005197035.tif 000009
【図８】
2005197035.tif 000010
【図９】
2005197035.tif 000011
【図１０】
2005197035.tif 000012
【図１１】
2005197035.tif 000013
【図１２】
2005197035.tif 000014
【図１３】
2005197035.tif 000015
【図１４】
2005197035.tif 000016
【図１５】
2005197035.tif 000017